(57)【要約】【課題】天井パネルから容易に取外すことができる車両用サンバイザの支軸装着用留具を提供する。【解決手段】留具１は、天井パネルに挿入される周り止部３ｂを有するベース部材３と、ベース部材３に保持されかつ支軸１４が挿入され抜止される軸受部材２を有する。回り止部３ｂと軸受部材２が天井パネルに挿入され支軸１４によって軸受部材２が回動されて天井パネルに抜止される抜止部２ｄが軸受部材２に形成されている。抜止部２ｄが抜止状態になった際にベース部材３と軸受部材２とをロックするロック機構６がベース部材３と軸受部材２の間に設けられており、かつ支軸１４を使用回動範囲内で回動可能に支持した状態で天井パネルに装着する。そして天井パネルから取外されるために、ロック機構６をロック解除するロック解除機構７と、使用回動範囲途中において支軸１４と軸受部材２を係合させて支軸１４によって軸受部材２を回動させる係合機構８を有している。【選択図】図９
2008087663.tif 000002
【特許請求の範囲】
【請求項１】
バイザ本体を支持する支軸を天井パネルに装着するために、前記天井パネルに挿入される回り止部を有するベース部材と、そのベース部材に保持されかつ前記支軸が挿入されて抜止される軸受部材とを有し、前記回り止部と前記軸受部材が前記天井パネルに挿入され前記支軸によって前記軸受部材が回動されることで前記天井パネルに抜止される抜止部が前記軸受部材に形成されており、前記抜止部が抜止状態になった際に前記ベース部材と前記軸受部材とをロックするロック機構が前記ベース部材と前記軸受部材の間に設けられており、かつ前記支軸を使用回動範囲内で回動可能に支持した状態で前記天井パネルに装着する車両用サンバイザの支軸装着用留具であって、
前記天井パネルから取外されるために、前記ロック機構をロック解除するロック解除機構と、前記使用回動範囲途中において前記支軸と前記軸受部材とを係合させて前記支軸によって前記軸受部材を回動させる係合機構とを有していることを特徴とする車両用サンバイザの支軸装着用留具。
【請求項２】
請求項１に記載の車両用サンバイザの支軸装着用留具であって、
係合機構は、ロック機構を解除する操作に連動して操作される構成になっていることを特徴とする車両用サンバイザの支軸装着用留具。
【請求項３】
請求項２に記載の車両用サンバイザの支軸装着用留具であって、
ロック機構は、軸受部材の本体部から延出する延出部と、その延出部の先端に形成されたフックと、そのフックが前記延出部の弾性力を利用して係合されるベース部材に形成された係合部とを有し、
ロック解除機構は、前記ベース部材の一部を開口して、外力によって前記フックまたは前記延出部を押して前記延出部を弾性変形可能とする開口部を有し、
係合機構は、前記延出部に設けられた係合爪を有し、前記係合爪は、前記延出部が外力によって弾性変形した際に前記支軸に係合する構成になっていることを特徴とする車両用サンバイザの支軸装着用留具。
【請求項４】
バイザ本体を支持する支軸を天井パネルに装着するために、前記支軸が挿入されて抜止される軸受部と、該軸受部から該軸受部の外周に沿って延出する延出部と、その延出部から前記天井パネルに突出する回り止部とを有し、前記回り止部と前記軸受部が前記天井パネルに挿入され前記支軸によって前記軸受部が回動されることで前記天井パネルに抜止される抜止部が前記軸受部に形成されており、前記抜止部が抜止状態になった際に前記軸受部と前記延出部とをロックするロック機構が前記軸受部と前記延出部の間に設けられており、かつ前記支軸を使用回動範囲内で回動可能に支持した状態で前記天井パネルに装着する車両用サンバイザの支軸装着用留具であって、
前記天井パネルから取外されるために、前記ロック機構をロック解除するロック解除機構と、前記使用回動範囲途中において前記支軸と前記軸受部とを係合させて前記支軸によって前記軸受部を回動させる係合機構とを有していることを特徴とする車両用サンバイザの支軸装着用留具。
【発明の詳細な説明】
【技術分野】
【０００１】
本発明は、車両用サンバイザの支軸装着用留具に関する。とりわけ支軸を利用して車両の天井パネルに装着される車両用サンバイザの支軸装着用留具に関する。
【背景技術】
【０００２】
車両用サンバイザは、一般に板状のバイザ本体と、そのバイザ本体を支持する支軸と、その支軸を天井パネルに装着する留具を有している。留具の従来の例として、特許文献１に記載の留具が知られている。この留具は、天井パネルに挿入される回り止部を有するベース部材と、そのベース部材に保持されかつ支軸が挿入されて抜止される軸受部材とを有している。回り止部と軸受部材が天井パネルに挿入され支軸によって軸受部材が回動されることで天井パネルに抜止される抜止部が軸受部材に形成されており、抜止部が抜止状態になった際にベース部材と軸受部材とをロックするロック機構がベース部材と軸受部材の間に設けられている。そして支軸を使用回動範囲内で回動可能に支持した状態で天井パネルに装着する。したがって支軸を梃子として利用することで軸受部材を回動させ、軸受部材とベース部材を天井パネルに装着することができる。そのため留具を容易に天井パネルに装着することができる。
【特許文献１】特開２００５−１８６７６７号公報
【発明の開示】
【発明が解決しようとする課題】
【０００３】
ところで留具は、組付けラインやメンテナンス時において天井パネルから取外す必要がある場合がある。しかし従来の留具は、天井パネルから取外すことが容易でないという問題があった。例えば、ロック機構を解除し、その状態で軸受部材をベース部材に対し回動させることが容易でないという問題があった。
そこで本発明は、天井パネルから容易に取外すことのできる車両用サンバイザの支軸装着用留具を提供することを課題とする。
【課題を解決するための手段】
【０００４】
前記課題を解決するために本発明は、各請求項に記載の通りの構成を備える留具であることを特徴とする。
請求項１に記載の発明によると、天井パネルに挿入される回り止部を有するベース部材と、そのベース部材に保持されかつ支軸が挿入されて抜止される軸受部材とを有している。回り止部と軸受部材が天井パネルに挿入され支軸によって軸受部材が回動されることで天井パネルに抜止される抜止部が軸受部材に形成されており、抜止部が抜止状態になった際にベース部材と軸受部材とをロックするロック機構がベース部材と軸受部材の間に設けられている。そして支軸を使用回動範囲内で回動可能に支持した状態で天井パネルに装着する。そして天井パネルから取外されるために、ロック機構をロック解除するロック解除機構と、使用回動範囲途中において支軸と軸受部材とを係合させて支軸によって軸受部材を回動させる係合機構とを有している。
【０００５】
したがって留具を天井パネルから取外す場合は、ロック機構を解除することで軸受部材をベース部材に対して回動可能な状態にすることができる。そして係合機構によって軸受部材を支軸と係合させることで、支軸を梃子として軸受部材をベース部材に対して回動させることができる。そのため留具を天井パネルから容易に取外すことができる。
【０００６】
請求項２に記載の発明によると、係合機構は、ロック機構を解除する操作に連動して操作される構成になっている。したがってロック機構の解除と、軸受部材と支軸との係合とを連動して行うことができるため、容易に留具を天井パネルから取外すことができる。
【０００７】
請求項３に記載の発明によると、ロック機構は、軸受部材の本体部から延出する延出部と、その延出部の先端に形成されたフックと、そのフックが延出部の弾性力を利用して係合されるベース部材に形成された係合部とを有している。ロック解除機構は、ベース部材の一部を開口して、外力によってフックまたは延出部を押して延出部を弾性変形可能とする開口部を有している。係合機構は、延出部に設けられた係合爪を有し、係合爪は、延出部が外力によって弾性変形した際に支軸に係合する構成になっている。したがって延出部を弾性変形させることで、延出部上のフックがベース部材から係止解除され、延出部上の係合爪が支軸に係合する。そのためロック機構を解除する操作に連動して、軸受部材と支軸とが係合する。
【０００８】
請求項４に記載の発明によると、支軸が挿入されて抜止される軸受部と、軸受部から軸受部の外周に沿って延出する延出部と、その延出部から天井パネルに突出する回り止部とを有している。回り止部と軸受部が天井パネルに挿入され支軸によって軸受部が回動されることで天井パネルに抜止される抜止部が軸受部に形成されており、抜止部が抜止状態になった際に軸受部と延出部とをロックするロック機構が軸受部と延出部の間に設けられている。そして支軸を使用回動範囲内で回動可能に支持した状態で天井パネルに装着する。そして天井パネルから取外されるために、ロック機構をロック解除するロック解除機構と、使用回動範囲途中において支軸と軸受部とを係合させて支軸によって軸受部を回動させる係合機構とを有している。
【０００９】
したがって留具を天井パネルから取外す場合は、ロック機構を解除することで軸受部を延出部に対して回動可能な状態にすることができる。そして係合機構によって軸受部を支軸と係合させることで、支軸を梃子として軸受部を延出部に対して回動させることができる。そのため留具を天井パネルから容易に取外すことができる。
【発明を実施するための最良の形態】
【００１０】
（実施の形態１）
実施の形態１を図１〜１０にしたがって説明する。車両用のサンバイザ１３は、図１に示すように遮光部を形成する板状のバイザ本体１５と、バイザ本体１５を回動可能に支持する支軸１４と、支軸１４を天井パネル１０に装着する留具１を有している。
【００１１】
支軸１４は、図１に示すように略Ｌ字状であって、縦軸１４ａと横軸１４ｂを有している。横軸１４ｂは、バイザ本体１５の上端部に挿入され、バイザ本体１５を上下方向に回動可能に支持する。縦軸１４ａは、留具１によって天井パネル１０に回動可能に取付けられ、バイザ本体１５が縦軸１４ａ周りに回動してフロントガラス１１とサイドガラス１２に沿った位置に回動する。
【００１２】
縦軸１４ａは、図３に示すように上端部にＥリング５が係止される溝１４ｅを有しており、軸受部材２に縦軸１４ａが挿入され、溝１４ｅにＥリング５が係止されることで縦軸１４ａが軸受部材２に抜止される。縦軸１４ａの下部には、フランジ１４ｃが形成されており、フランジ１４ｃは、ベース部材３の下面に摺接可能に当接する。
【００１３】
留具１は、図２，３に示すようにベース部材３と軸受部材２を有している。ベース部材３は、卵の殻を縦割りにした形状の本体部３ａを有している。本体部３ａは、軸受部材２を下側から保持し、割った側が天井パネル１０に当接される。本体部３ａの下面中央には、穴３ｃが形成されており、穴３ｃに軸受部材２の下端部が上方から挿入される。本体部３ａの一端寄りには、上方に延出する回り止部３ｂが形成されている。回り止部３ｂは、天井パネル１０の取付板１０ａに形成された取付穴１０ｂに挿入される。
【００１４】
軸受部材２は、図３に示すように円筒状の本体部２ａと、本体部２ａの軸中心を貫通する貫通孔２ｂと、本体部２ａの外周面に形成されたフランジ２ｃと複数の抜止部２ｄを有している。フランジ２ｃは、ベース部材３の上方からベース部材３の内側面に形成された立設部３ｄに回転可能に収納される。
【００１５】
抜止部２ｄは、図３に示すように本体部２ａの上側部の外周面に形成されている。抜止部２ｄは、図４に示すように天井パネル１０の取付穴１０ｂに挿通可能な形状になっており、図２に示すように軸受部材２の上端部が取付穴１０ｂに挿入される。そして軸受部材２がベース部材３に対して回動されると、抜止部２ｄが図７に示すように取付板１０ａの上面に張出して天井パネル１０に対して抜止される。
【００１６】
軸受部材２とベース部材３の間には、図６，８に示すように抜止部２ｄが天井パネル１０に抜止状態となった際に、軸受部材２をベース部材３にロックするロック機構６が設けられている。ロック機構６は、軸受部材２に形成された延出部２ｅとフック２ｆと、ベース部材３に形成された係合部３ｇ，３ｈを有している。延出部２ｅは、軸受部材２の本体部２ａから片持ち梁状に円弧状に延出しており弾性変形可能な構成になっている。フック２ｆは、延出部２ｅの先端部外周から径方向外方に突出しており、一方、係合部３ｇ，３ｈは、ベース部材３の本体部３ａから軸受部材２に向けて突出している。軸受部材２をベース部材３に対し回動させると、フック２ｆが係合部３ｇに当接し、延出部２ｅが弾性変形する。そしてフック２ｆが係合部３ｇ，３ｈの間に係合し、軸受部材２がベース部材３に対しロックされる。
【００１７】
軸受部材２と支軸１４の間には、図６，８に示すようにトルク伝達手段９が設けられている。トルク伝達手段９は、支軸１４を梃子として軸受部材２を回動させるために、支軸１４に形成されたトルク付与部１４ｄと、軸受部材２に形成されたトルク受部２ｇを有している。トルク付与部１４ｄは、縦軸１４ａの外周の一部から軸受部材２に向けて突出しており、トルク受部２ｇは、軸受部材２の本体部２ａの内周面一部から支軸１４に向けて張出している。したがって支軸１４を縦軸１４ａ周りに回動させることで、トルク付与部１４ｄがトルク受部２ｇに当接して支軸１４の回動トルクが軸受部材２に伝達される。
【００１８】
軸受部材２には、図５に示すようにベース部材３の回り止部３ｂを押す力付与部２ｋが形成されている。力付与部２ｋは、軸受部材２の本体部２ａの外周面一部に扇形に形成されている。そのため軸受部材２を回転させることで力付与部２ｋが回り止部３ｂに当接し、回り止部３ｂが軸受部材２から離間する方向に弾性変形する。そのため回り止部３ｂは、図４に示すように取付穴１０ｂの角部端縁に押付けられ、取付穴１０ｂの端部に食い込み、天井パネル１０に係合する。
【００１９】
留具１を天井パネル１０に装着する場合は、図２に示すように軸受部材２とベース部材３の回り止部３ｂを天井パネル１０の取付穴１０ｂに挿入する。次に、支軸１４を図６の位置から図８の位置に回動する。これにより支軸１４のトルクがトルク伝達手段９を介して軸受部材２に伝わり、軸受部材２がベース部材３に対して回動する。この時、ベース部材３は、回り止部３ｂによって天井パネル１０に対して回り止めされている。そして図７に示すように軸受部材２がベース部材３に対して回動し、抜止部２ｄが天井パネル１０に抜止される。そして図５に示すように回り止部３ｂが天井パネル１０の取付穴１０ｂの角部に係止する。次に、ロック機構６によって軸受部材２がベース部材３に対してロックされ、これにより留具１が天井パネル１０に装着される。
【００２０】
軸受部材２と支軸１４の間には、図８に示すように支軸１４を使用回動範囲で回動可能にする回動経路２ｈが形成されている。回動経路２ｈは、軸受部材２の内周面と支軸１４の間に形成されており、支軸１４のトルク付与部１４ｄを所定範囲内で回動可能に収容する。これにより支軸１４は、使用回動範囲内で回動し、バイザ本体１５が図１に示すようにフロントガラス１１とサイドガラス１２に沿った位置との間で回動する。
【００２１】
留具１を天井パネル１０に装着した後に、留具１を天井パネル１０から取外す必要がある場合がある。例えば組付けラインにおいて留具１に汚れや傷などが発生した場合や、メンテナンス時に留具１を交換したい場合などがある。これに対して留具１は、図８，１０に示すようにロック機構６をロック解除するロック解除機構７と、軸受部材２と支軸１４とを係合させる係合機構８を有している。
【００２２】
ロック解除機構７は、図８，１０に示すようにベース部材３の本体部３ａの一部を開口する開口部３ｅを有している。開口部３ｅは、フック２ｆに対応する位置に形成されている。したがって外方から開口部３ｅに挿入した棒部材によってフック２ｆを押すことで、フック２ｆが外力によって押され、延出部２ｅが弾性変形する。これによりフック２ｆがベース部材３の係合部３ｇ，３ｈの間から係止解除可能な位置に退避する。
【００２３】
係合機構８は、図８，１０に示すように延出部２ｅに形成された係合爪２ｊを有している。係合爪２ｊは、延出部２ｅの先端の内周部に形成されており、フック２ｆが押されて延出部２ｅが弾性変形すると、径中心方向に移動して回動経路２ｈに突出する。したがってその状態で支軸１４を回動させると、トルク付与部１４ｄが係合爪２ｊに係合して、軸受部材２が支軸１４からトルクを受け回動する。したがって支軸１４を梃子として軸受部材２を回動させることができる。また軸受部材２は、支軸１４に対して空回りすることなく確実に回動する。これにより軸受部材２の抜止部２ｄが図４に示す位置に移動し、天井パネル１０から取外される。そして力付与部２ｋが回り止部３ｂから離間して（図５参照）、回り止部３ｂが天井パネル１０から係合解除される。これにより留具１を天井パネル１０から取外すことができる。
【００２４】
以上のようにして留具１が形成されている。すなわち留具１は、天井パネル１０から取外されるために、図１０に示すようにロック機構６をロック解除するロック解除機構７と、使用回動範囲途中において支軸１４と軸受部材２とを係合させて支軸１４によって軸受部材２を回動させる係合機構８とを有している。したがって留具１を天井パネル１０から取外す場合は、ロック機構６を解除することで軸受部材２をベース部材３に対して回動可能にすることができる。そして係合機構８によって軸受部材２を支軸１４と係合させることで、支軸１４を梃子として軸受部材２をベース部材３に対して回動させることができる。そのため留具１を天井パネル１０から容易に取外すことができる。
【００２５】
また係合機構８は、図１０に示すようにロック機構６を解除する操作に連動して操作される構成になっている。したがってロック機構６の解除と、軸受部材２と支軸１４との係合とを連動して行うことができるため、容易に留具１を天井パネル１０から取外すことができる。
【００２６】
またロック機構６は、図１０に示すように延出部２ｅとフック２ｆと係合部３ｇ，３ｈを有している。ロック解除機構７は、開口部３ｅを有し、係合機構８は、係合爪２ｊを有している。係合爪２ｊは、延出部２ｅが外力によって弾性変形した際に支軸１４に係合する構成になっている。したがって延出部２ｅを弾性変形させることで、延出部２ｅ上のフック２ｆがベース部材３から係止解除され、延出部２ｅ上の係合爪２ｊが支軸１４に係合する。そのためロック機構６を解除する操作に連動して、軸受部材２と支軸１４が係合する。
【００２７】
（実施の形態２）
実施の形態２を図１１〜２１に従って説明する。実施の形態２は、実施の形態１と似た構造になっているが、実施の形態１に係る軸受部材２とベース部材３とを一体に形成した構成になっている。以下、相違点を中心に実施の形態２について説明する。
【００２８】
実施の形態２のサンバイザは、図１１，１２に示すように支軸２９と、支軸２９を天井パネルに装着する留具２１を有している。支軸２９は、縦軸２９ａと横軸２９ｂを有しており、縦軸２９ａの外周面の一部には、外方に突出するトルク付与部２９ｃが形成されている。トルク付与部２９ｃは、支軸２９を軸回転させた際に留具２１の一部に係合して、回動トルクを留具２１に伝達する構成になっている。
【００２９】
留具２１は、図１１，１２に示すように支軸２９の縦軸２９ａが挿入されて抜止される軸受部２２と、軸受部２２から軸受部２２の外周に沿って延出する延出部２３と、延出部２３から天井パネルに突出する回り止部２４を有している。軸受部２２は、外周部に複数の抜止部２２ａを有している。抜止部２２ａは、図１３〜１５に示すように天井パネル１０の取付板１０ａに形成された取付穴１０ｂに挿入され、軸受部２２が回動されることで天井パネル１０の上面に張出して天井パネル１０に対して抜止される。
【００３０】
軸受部２２と延出部２３の間には、図１６〜１８に示すように軸受部２２が天井パネルに対して抜止状態となった際に、軸受部２２と延出部２３とをロックするロック機構２６が設けられている。ロック機構２６は、軸受部２２から延出部２３と反対方向に延出する第二延出部２５の先端に形成された係合部２５ａと、延出部２３の先端に形成されたフック２３ａを有している。軸受部２２の下端部には、図１２に示すように片持ち梁状に係合爪２２ｄが切出されており、係合爪２２ｄは、径方向に弾性変形可能な構成になっている。
【００３１】
軸受部２２と支軸２９の間には、図１６〜１８に示すように留具２１を天井パネル１０に装着する際にトルクを伝達するトルク伝達手段３０が設けられている。トルク伝達手段３０は、支軸２９に形成されたトルク付与部２９ｃと、軸受部２２に形成されたトルク受部２２ｂを有している。トルク付与部２９ｃは、支軸２９と軸受部２２の間に形成された回動経路２２ｃに内設され、支軸２９を縦軸２９ａ周りに回動させることで一端部２９ｃ１がトルク受部２２ｂを押して、軸受部２２に回動トルクを伝達する。
【００３２】
留具２１を天井パネル１０に装着する場合は、先ず図１３に示すように軸受部２２と回り止部２４を天井パネル１０の取付穴１０ｂに挿入する。次に、支軸２９を回動させてトルク伝達手段３０を介して軸受部２２を回動させる。これにより抜止部２２ａが図１４に示すように天井パネル１０の上面に張出して抜止される。そして図１８に示すようにロック機構２６によって軸受部２２と延出部２３とがロックする。詳しくは、延出部２３の先端部２３ｃと係合爪２２ｄとが弾性変形して、フック２３ａが係合部２５ａに係合し、ロック機構２６がロック状態になる。これにより留具２１が天井パネル１０に装着される。
【００３３】
軸受部２２と支軸２９の間には、図１８に示すようにトルク付与部２９ｃが移動可能に収容される回動経路２２ｃが形成されている。そのため支軸２９は、天井パネル１０に装着された状態にて使用回動範囲内で回動する。
【００３４】
留具２１を天井パネル１０から取外すために、留具２１は、図１９〜２１に示すようにロック機構２６をロック解除するロック解除機構２７と、軸受部２２と支軸２９とを係合させる係合機構２８を有している。ロック解除機構２７は、フック２３ａを開口するために、第二延出部２５の下面に形成された切欠き溝、穴あるいは斜面である開口部２５ｂを有している。したがって開口部２５ｂから棒部材を挿入してフック２３ａを押し、フック２３ａを係合部２５ａからロック解除させることができる。
【００３５】
係合機構２８は、図１９〜２１に示すように延出部２３に形成された突起２３ｂと、軸受部２２に形成された係合爪２２ｄを有している。突起２３ｂは、延出部２３の先端部の内周側に形成されており、フック２３ａが押されることで係合爪２２ｄに当接し、係合爪２２ｄを径中心方向に押す。係合爪２２ｄは、径中心方向に弾性変形されることで、回動経路２２ｃに張出す。その状態で支軸２９を回動させると、トルク付与部２９ｃの一端部２９ｃ２が係合爪２２ｄに当接（係合）し、係合爪２２ｄがトルク付与部２９ｃによって押される。これにより軸受部２２が回動し、抜止部２２ａを天井パネル１０から外すことができる。
【００３６】
以上のようにして実施の形態２が形成されている。すなわち留具２１は、図１９に示すように天井パネル１０から取外されるために、ロック機構２６をロック解除するロック解除機構２７と、使用回動範囲途中において支軸２９と軸受部２２とを係合させて支軸２９によって軸受部２２を回動させる係合機構２８を有している。
【００３７】
したがって留具２１を天井パネル１０から取外す場合は、ロック機構２６を解除することで軸受部２２を延出部２３に対して回動可能な状態にすることができる。そして係合機構２８によって軸受部２２を支軸２９と係合させ、支軸２９を梃子として軸受部２２を延出部２３に対して回動させることができる。そのため留具２１を天井パネル１０から容易に取外すことができる。
【００３８】
（他の実施の形態）
本発明は、実施の形態１，２に限定されず、以下の形態であっても良い。
（１）すなわち実施の形態１は、図５に示すように回り止部３ｂを天井パネル１０の取付穴１０ｂの端部に押付ける力付与部２ｋを有していた。しかし力付与部２ｋを有していない形態であっても良い。
（２）実施の形態１のロック解除機構７は、図１０に示すようにフック２ｆを開口する開口部３ｅを有していた。しかし延出部２ｅの一部を開口して、延出部２ｅに外力を付与して延出部２ｅを弾性変形させ得る形態になっていても良い。
【図面の簡単な説明】
【００３９】
【図１】天井パネルに装着した状態における車両用のサンバイザの斜視図である。
【図２】サンバイザと天井パネルの一部斜視図である。
【図３】留具の分解斜視図である。
【図４】天井パネルと留具の一部上面図である。
【図５】図４のV―V線断面矢視図である。
【図６】図５のVI―VI線断面矢視図である。
【図７】天井パネルに装着した状態における留具と天井パネルの一部上面図である。
【図８】天井パネルに装着した状態における図６に相当する留具の断面図である。
【図９】留具の分解斜視図である。
【図１０】天井パネルから取外す様子を示すための図６に相当する留具の断面図である。
【図１１】実施の形態２の留具と支軸の斜視図である。
【図１２】実施の形態２の留具と支軸の斜視図である。
【図１３】実施の形態２の天井パネルと留具の一部上面図である。
【図１４】実施の形態２の天井パネルと留具の一部上面図である。
【図１５】図１３のXV―XV線断面矢視図である。
【図１６】図１５のXVI―XVI線断面矢視図である。
【図１７】留具を天井パネルに装着する様子を示すための図１６に対応する留具の断面図である。
【図１８】留具を天井パネルに装着した状態を示すための図１６に対応する留具の断面図である。
【図１９】留具を天井パネルから外す様子を示すための図１６に対応する留具の断面図である。
【図２０】留具を天井パネルから外す様子を示すための図１６に対応する留具の断面図である。
【図２１】留具を天井パネルから外す様子を示すための図１６に対応する留具の断面図である。
【符号の説明】
【００４０】
１，２１・・・留具
２・・・軸受部材
２ａ・・・本体部
２ｄ，２２ａ・・・抜止部
２ｅ・・・延出部
２ｆ・・・フック
２ｇ，２２ｂ・・・トルク受部
２ｈ，２２ｃ・・・回動経路
２ｊ，２２ｄ・・・係合爪
２ｋ・・・力付与部
３・・・ベース部材
３ａ・・・本体部
３ｂ，２４・・・回り止部
３ｅ，２５ｂ・・・開口部
３ｇ，３ｈ，２５ａ・・・係合部
６，２６・・・ロック機構
７，２７・・・ロック解除機構
８，２８・・・係合機構
９，３０・・・トルク伝達手段
１０・・・天井パネル
１３・・・サンバイザ
１４，２９・・・支軸
１４ｄ，２９ｃ・・・トルク付与部
２２・・・軸受部
２３・・・延出部
【図１】
2008087663.tif 000003
【図２】
2008087663.tif 000004
【図３】
2008087663.tif 000005
【図４】
2008087663.tif 000006
【図５】
2008087663.tif 000007
【図６】
2008087663.tif 000008
【図７】
2008087663.tif 000009
【図８】
2008087663.tif 000010
【図９】
2008087663.tif 000011
【図１０】
2008087663.tif 000012
【図１１】
2008087663.tif 000013
【図１２】
2008087663.tif 000014
【図１３】
2008087663.tif 000015
【図１４】
2008087663.tif 000016
【図１５】
2008087663.tif 000017
【図１６】
2008087663.tif 000018
【図１７】
2008087663.tif 000019
【図１８】
2008087663.tif 000020
【図１９】
2008087663.tif 000021
【図２０】
2008087663.tif 000022
【図２１】
2008087663.tif 000023